(57)【特許請求の範囲】
【請求項１】
植物の苗が植えられる平面視長方形状かつ上方開口箱型の育成容器（１）を備え、
上記育成容器（１）の長手方向（Ｌ）に温調媒体を流す流路空間部（11）（11）を、左右一対の側壁部（10Ａ）（10Ｂ）の夫々に形成し、
一方の上記側壁部（10Ａ）は、上記育成容器（１）の長手方向一端側に、一方の上記側壁部（10Ａ）に形成された一方の上記流路空間部（11）に連通する継手ユニット（３）の雄接続継手（３Ａ）が突設され、上記育成容器（１）の長手方向他端側に、一方の上記流路空間部（11）に連通する上記継手ユニット（３）の雌接続継手（３Ｂ）が突設され、
他方の上記側壁部（10Ｂ）は、上記育成容器（１）の長手方向一端側に、他方の上記側壁部（10Ｂ）に形成された他方の上記流路空間部（11）に連通する上記継手ユニット（３）の雌接続継手（３Ｂ）が突設され、上記育成容器（１）の長手方向他端側に、他方の上記流路空間部（11）に連通する上記継手ユニット（３）の雄接続継手（３Ａ）が突設され、
上記雄接続継手（３Ａ）及び上記雌接続継手（３Ｂ）は、屈曲部（４）を介して、各先端面（31）（32）が、上記育成容器（１）の長手方向（Ｌ）の外方に向き、
上記育成容器（１）の上記長手方向一端側に配設される雄接続継手（３Ａ）及び雌接続継手（３Ｂ）と、上記育成容器（１）の上記長手方向他端側に配設される雄接続継手（３Ａ）及び雌接続継手（３Ｂ）とは、平面視で上記育成容器（１）の中心点（Ｐ）に対して回転対称に配設され、
上記長手方向（Ｌ）に隣り合う上記育成容器（１）（１）同士を、上記雄接続継手（３Ａ）と上記雌接続継手（３Ｂ）の接続にて、上記長手方向（Ｌ）に直列状に連結自在としたことを特徴とする植物の周年栽培育成装置。
【発明の詳細な説明】
【技術分野】
【０００１】
本発明は、植物の周年栽培育成装置に関する。
【背景技術】
【０００２】
従来、旬の季節をずらして野菜や果物を育成させるために、ビニールハウス等の栽培室の室内全体を温度管理する温調装置や、植物が植えられた土に配管部材を埋設して、土の温度調節をおこなう栽培装置が知られている（例えば、特許文献１参照）。
【先行技術文献】
【特許文献】
【０００３】
【特許文献１】特開平０１−１７１４１５号公報
【発明の概要】
【発明が解決しようとする課題】
【０００４】
しかし、栽培室内全体を温度管理するには、多大なエネルギーが必要になるといった問題があった。また、土に温調用配管を埋設しても、熱交換効率が悪く十分な温調効果を得ることができないといった問題や、温調配管の埋設に多大な労力と時間が費やされてしまうといった問題があった。また、温調配管を一度付設してしまうと、栽培範囲の拡張や縮小といった増減や、移設等に容易かつ迅速に対応できないといった問題もあった。
【０００５】
そこで、本発明は、熱交換効率が良く十分な温調効果が得られると共に、育成範囲の増減に容易かつ迅速に対応可能な植物の周年栽培育成装置の提供を目的とする。
【課題を解決するための手段】
【０００６】
上記目的を達成するために、本発明の植物の周年栽培育成装置は、植物の苗が植えられる平面視長方形状かつ上方開口箱型の育成容器を備え、上記育成容器の長手方向に温調媒体を流す流路空間部を、左右一対の側壁部の夫々に形成し、一方の上記側壁部は、上記育成容器の長手方向一端側に、一方の上記側壁部に形成された一方の上記流路空間部に連通する継手ユニットの雄接続継手が突設され、上記育成容器の長手方向他端側に、一方の上記流路空間部に連通する上記継手ユニットの雌接続継手が突設され、他方の上記側壁部は、上記育成容器の長手方向一端側に、他方の上記側壁部に形成された他方の上記流路空間部に連通する上記継手ユニットの雌接続継手が突設され、上記育成容器の長手方向他端側に、他方の上記流路空間部に連通する上記継手ユニットの雄接続継手が突設され、上記雄接続継手及び上記雌接続継手は、屈曲部を介して、各先端面が、上記育成容器の長手方向の外方に向き、上記育成容器の上記長手方向一端側に配設される雄接続継手及び雌接続継手と、上記育成容器の上記長手方向他端側に配設される雄接続継手及び雌接続継手とは、平面視で上記育成容器の中心点に対して回転対称に配設され、上記長手方向に隣り合う上記育成容器同士を、上記雄接続継手と上記雌接続継手の接続にて、上記長手方向に直列状に連結自在としたものである。
【発明の効果】
【０００７】
本発明の植物の周年栽培育成装置によれば、苗が植えられる土等の苗床材と温調媒体が効率よく熱交換でき、エネルギーの消費を軽減できる。また、苗の根及び茎を冷し、又は、逆に暖めることで、苗の季節外れの育成を確実にコントロール可能となる。このように、十分な温調効果が得られ、周年で（旬をずらして季節外れに）植物を確実に育成できる。土に埋設や敷設する配管が必要なく、容易かつ迅速に、栽培範囲の増減や移設に対応できる。育成容器内の苗床材に集中的に効率良く熱交換でき、エネルギーの消費を軽減できる。
【図面の簡単な説明】
【０００８】
【図１】本発明の植物の周年栽培育成装置に用いる育成容器の第１例を示す平面図である。
【図２】育成容器の第１例の使用状態正面断面図である。
【図３】育成容器の第２例の正面断面図である。
【図４】育成容器の第３例の平面図である。
【図５】育成容器の第３例の正面断面図である。
【図６】育成容器の第４例の正面断面図である。
【図７】育成容器の第５例の正面断面図である。
【図８】育成容器の第６例の正面平面図である。
【図９】育成容器の第６例の正面断面図である。
【図１０】育成容器の参考例の正面断面図である。
【図１１】育成容器同士の連結を説明する要部平面図である。
【図１２】本発明の植物の周年栽培育成装置の実施の一形態を示す平面図である。
【図１３】本発明の植物の周年栽培育成装置の他の実施形態を示す平面図である。
【図１４】作用を説明する比較図である。
【発明を実施するための形態】
【０００９】
以下、図示の実施の形態に基づき本発明を詳説する。
先ず、本発明の植物の周年栽培育成装置に用いる育成容器１について説明する。
図１に示すように、育成容器１は平面視細長状に形成され、野菜や果物、園芸用の草花等の植物の苗が植えられると共に、育成（栽培）用の土や肥料、ロックウール等の苗床材Ｇが収容可能な収容空間２を有する上方開口箱型である。
【００１０】
図１及び図２に於て、育成容器１は、平面視長方形状に形成されている。複数の長手壁部10及び幅方向壁部20を有している。複数の長手壁部10とは、育成容器１の長手方向Ｌに平行状に配設された壁部であって、左右一対の側壁部10Ａ，10Ｂと、底壁部10Ｃと、である。複数の幅方向壁部20とは、育成容器１の左右幅方向Ｗに平行状に配設された壁部であって、育成容器１の長手方向Ｌの一端側に配設される一端壁部20Ａと、育成容器１の長手方向Ｌの他端側に配設される他端壁部20Ｂと、収容空間２を長手方向Ｌに区切る分割壁部20Ｃである。
【００１１】
また、分割壁部20Ｃによって、収容空間２は、長手方向Ｌに複数に分割され、複数の分割収容空間２ａが形成されている。この分割収容空間２ａに苗が植えられると共に苗床材Ｇが収容される。即ち、１つの育成容器１で複数の苗を育成可能に設けている。底壁部10Ｃには、苗床材Ｇを通過した水や肥料液が貯まるのを防止する排水孔19を貫設している。排水孔19は、各分割収容空間２ａに対応するように貫設されている。なお、図示省略したが、育成容器１の外周面（左右一対の側壁部10Ａ，10Ｂと、底壁部10Ｃと、一端壁部20Ａと、他端壁部20Ｂと、の外方側面）は、断熱材にて包囲するのが望ましい。例えば、断面Ｕ字型の断熱部材の凹溝内に、育成容器１全体を収納するのが良い。
【００１２】
そして、左右一対の側壁部10Ａ，10Ｂを中空状（中空壁部）とし、育成容器１の長手方向Ｌに水（液体）や冷却ガス（気体）等の温調用媒体を流す流路空間部11を、夫々形成している。この左右一対の側壁部10Ａ，10Ｂに形成された流路空間部11を、左右一対の側方流路空間部11Ａ，11Ｂと呼ぶ場合もある。つまり、一方の側壁部10Ａに一方の側方流路空間部11Ａが形成され、他方の側壁部10Ｂに他方の側方流路空間部11Ｂが形成されている。
【００１３】
左右一対の側壁部10Ａ，10Ｂには、着脱自在かつ流体が送流可能なクイック（ワンタッチ）カプラ等の継手ユニット３の雄接続継手３Ａ及び雌接続継手３Ｂがエルボ配管等の屈曲部４を介して突設されている。突設した位置から長手方向Ｌの外方に各先端面31，32が向き、かつ、継手軸心が長手方向Ｌに平行に配設している。なお、説明を容易にするために、雄接続継手３Ａ及び雌接続継手３Ｂを接続継手と呼ぶ場合もある。
【００１４】
一方の側壁部10Ａの長手方向一端側に温調媒体用の流入口12を設けると共に、一方の側壁部10Ａの長手方向他端側に温調媒体用の排出口13を設けている。そして、流入口12及び排出口13の一方に、一方の側方流路空間部11Ａと連通する雄接続継手３Ａを設け、他方に一方の側方流路空間部11Ａと連通する雌接続継手３Ｂを設けている。具体的には、一方の側壁部10Ａは、育成容器１の長手方向一端側に雄接続継手３Ａが突設されると共にその他端側に雌接続継手３Ｂが突設されている。
【００１５】
また、他方の側壁部10Ｂの長手方向一端側に温調媒体用の流入口12を設けると共に、他方の側壁部10Ｂの長手方向他端側に温調媒体用の排出口13を設けている。そして、流入口12及び排出口13の一方に雄接続継手３Ａを設け、他方に雌接続継手３Ｂを設けている。具体的には、他方の側壁部10Ｂは、育成容器１の長手方向一端側に、雌接続継手３Ｂが突設され、育成容器１の長手方向他端側に、雄接続継手３Ａが突設されている。
【００１６】
長手壁部10の長手方向一端側と他端側で雌雄が相違するように雄接続継手３Ａ及び雌接続継手３Ｂを配設し、平面視で育成容器１の中心点Ｐに関して互いの略点対称位置（略対角位置）では、雄と雄が対応し、かつ、雌と雌が対応している。
【００１７】
育成容器１の長手方向一端側に配設される雄接続継手３Ａ及び雌接続継手３Ｂと、育成容器１の長手方向他端側に配設される雄接続継手３Ａ及び雌接続継手３Ｂとは、平面視で育成容器１の中心点Ｐに対して回転対称に配設されている。つまり、育成容器１は、長手方向一端側の形状と他端側の形状とを中心点Ｐに対して回転対称形状としている。
【００１８】
また、図11（ａ）に示すように、育成容器１及び別の育成容器１’を長手方向Ｌに対面状に配設した場合に、育成容器１の一端側と、別の育成容器１’の他端側は、平面視で接続継手の雄と雌が各々対応する。
【００１９】
つまり、図11（ｂ）に示すように、育成容器１の雄接続継手３Ａが別の育成容器１’の雌接続継手３Ｂと対応すると共に、育成容器１の雌接続継手３Ｂが別の育成容器１’の雄接続継手３Ａと対応し、育成容器１の一端壁部20Ａと別の育成容器１’の他端壁部20Ｂを接近乃至接触させると、長手方向Ｌに直列状に連結し、育成容器連結体９を形成する。
【００２０】
また、図11（ａ）に於て、雄接続継手３Ａの先端面31を、育成容器１の長手方向同側に配設される雌接続継手３Ｂの先端面32より、所定寸法Ｓだけ突設させて設けている。
図11（ｂ）に於て、雄接続継手３Ａ及び雌接続継手３Ｂが機械的に接続し流体の送流が可能となった連結完了の際に、雌接続継手３Ｂの先端面32から雄接続継手３Ａの先端面31までの寸法を接続完了差込寸法Ｋとすると、所定寸法Ｓを接続完了差込寸法Ｋと同寸法に設定している。
また。雌接続継手３Ｂの先端面32は、配設される側の端壁（一端壁部20Ａ或いは他端壁部20Ｂ）の外方側面と同一平面状、又は、その外方側面より長手方向Ｌに僅かに突出しているのが望ましい。そうすることで、雄接続継手３Ａを長手方向Ｌに端壁から可能な限り突出させず、かつ、育成容器１と別の育成容器１’の端壁を可能な限り接近させて連結させることが可能となる。
【００２１】
次に、図３に示すように、育成容器１の第２例は、第１例と同様の構成を有し、さらに、底壁部10Ｃを中空状として、流路空間部11を形成している。底壁部10Ｃに形成された流路空間部11を底流路空間部11Ｃと呼ぶ場合がある。底流路空間部11Ｃによって、一方側の側方流路空間部11Ａと他方側の流路空間部11Ｂは連通している。
【００２２】
次に、図４及び図５に示すように、育成容器１の第３例は、第１例と同様の構成を有し、さらに、長手方向Ｌに平行に配設されると共に収容空間２を幅方向Ｗに区切る仕切壁部10Ｄを有している。仕切壁部10Ｄは流路空間部11の無い長手壁部10とも言える。分割壁部20Ｃと仕切壁部10Ｄによって、収容空間２は、格子状に区切られ、第１例よりも多くの分割収容空間２ａを形成し、苗を左右２列に配設可能としたものである。
【００２３】
次に、図６に示すように、育成容器１の第４例は、第３例（図４及び図５参照）と同様の構成を有し、さらに、底流路空間部11Ｃを形成したものである。底流路空間部11Ｃによって、一方側の側方流路空間部11Ａと他方側の流路空間部11Ｂは連通している。
【００２４】
次に、図７に示すように、育成容器１の第５例は、第３例（図４及び図５参照）と同様の構成を有し、さらに、底流路空間部11Ｃを形成し、かつ、仕切壁部10Ｄを中空状として流路空間部11を形成したものである。仕切壁部10Ｄに形成された流路空間部11を仕切流路空間部11Ｄと呼ぶ場合がある。側方流路空間部11Ａ，11Ｂと、底流路空間部11Ｃと、仕切流路空間部11Ｄは、連通している。
【００２５】
次に、図８及び図９に示すように、育成容器１の第６例は、第３例（図４及び図５参照）と同様の構成を有し、さらに、仕切流路空間部11Ｄを形成したものである。また、育成容器１の長手方向一端側に、仕切流路空間部11Ｄに温調媒体用の流入口12を設けると共に、その長手方向他端側に排出口13を設けている。そして、流入口12及び排出口13の一方に雄接続継手３Ａが突設され、他方に雌接続継手３Ｂが突設されている。仕切流路空間部11Ｄに連通した雄接続継手３Ａ及び雌接続継手３Ｂ以外は、中心点Ｐに対して回転対称形状である。なお、図示省略するが、仕切流路空間部11Ｄに連通する雄接続継手３Ａ及び雌接続継手３Ｂを、底壁部10Ｃから下方へ突出させた後に、屈曲部４をもって、継手軸心を長手方向Ｌに平行となるように配設し、雌接続継手３Ｂの先端面32が、配設される側の端壁の外方側面と同一平面状、又は、その外方側面より長手方向Ｌに僅かに突出するように設けても良い。
【００２６】
次に、育成容器１の参考例は、第３例（図４及び図５参照）と同様の構成を有し、さらに、左右一対の側壁部10Ａ，10Ｂを中実状（板壁型）として、側方流路空間部11Ａ，11Ｂを省略し、かつ、仕切流路空間部11Ｄを形成したものである。つまり、図10に示すように、育成容器１の長手方向Ｌに温調媒体を流す流路空間部11を、仕切壁部10Ｄに形成した仕切流路空間部11Ｄのみとしたものである。そして、図示省略するが、第６例のように、仕切流路空間部11Ｄに連通した雄接続継手３Ａ及び雌接続継手３Ｂを設けている。
【００２７】
また、図示省略するが、育成容器１の他の参考例は、育成容器１の長手方向Ｌに温調媒体を流す流路空間部11を、底流路空間部11Ｃのみとしたものである。そして、育成容器１の長手方向一端側に、底流路空間部11Ｃに流入口12を設けると共に、その長手方向他端側に排出口13を設けている。そして、流入口12及び排出口13の一方に雄接続継手３Ａが突設され、他方に雌接続継手３Ｂが突設している。
また、図示省略するが、育成容器１の別の参考例は、育成容器１の長手方向Ｌに温調媒体を流す流路空間部11を、左右一対の側壁部10Ａ，10Ｂの内どちらか一方のみに形成したものである。
【００２８】
そして、図12及び図13に示すように、本発明の植物の周年栽培育成装置は、複数の育成容器１，１が順次連結した長方形状の育成容器連結体９と、温調媒体を冷却又は昇温可能な熱交換機器と送流ポンプを内有する温調機６と、温調媒体が送流する複数の配管部材40と、を備えている。なお、説明を容易にするための、第１例の育成容器１で説明するが、上述した育成容器１のいずれかが用いられれば良い。
【００２９】
先ず、図12に示す実施の一形態は、育成容器連結体９の長手方向Ｌ’の一端側に配設され、他の育成容器１と連結していない雄接続継手３Ａ及び雌接続継手３Ｂを、温調機６の供給口部６ａに接続された供給配管41に接続している。また、育成容器連結体９の長手方向Ｌ’の他端側に配設され、他の育成容器１と連結していない雄接続継手３Ａ及び雌接続継手３Ｂを、温調機６の戻り口部６ｂに接続された戻り配管42に接続している。
つまり、温調媒体が矢印Ｙで示すように、育成容器連結体９の長手方向Ｌ’（育成容器１の長手方向Ｌ）の一端側から他端側に向かって流れ、その後、温調機６に戻るように構成している。
【００３０】
次に、図13に示す他の実施形態は、一方の側壁部10Ａから突設し、かつ、育成容器連結体９の長手方向Ｌ’の一端側に配設され他の育成容器１と連結していない雄接続継手３Ａに、供給配管41が接続されている。また、他方の側壁部10Ｂから突設し、かつ、育成容器連結体９の長手方向Ｌ’の一端側に配設され他の育成容器１と連結していない雌接続継手３Ｂに、戻り配管42に接続している。そして、育成容器連結体９の長手方向Ｌ’の他端側に配設され、他の育成容器１と連結していない雄接続継手３Ａ及び雌接続継手３Ｂ同士を、Ｕ字状の折り返し配管43にて接続している。
つまり、温調媒体が矢印Ｙで示すように、複数の育成容器１の一方の側方流路空間部11Ａを流れ、折り返し配管43にてＵターンし、複数の育成容器１の他方の側方流路空間部11Ｂを流れて、温調機６に戻るように構成している。なお、図13に示した実施形態は、左右一対の側方流路空間部11Ａ，11Ｂを有し、かつ、側方流路空間部11Ａ，11Ｂ同士が連通していない場合の育成容器１を用いる。
【００３１】
次の本発明の植物の周年栽培育成装置の使用方法（作用）について説明する。
２つの育成容器１，１を長手方向Ｌに相互に接近させると、育成容器１と別の育成容器１’が連結する。育成容器１，１同士が直接的に連結（直結）し、苗の育成可能範囲の広い細長状の育成容器連結体９が形成される。雄接続継手３Ａと雌接続継手３Ｂは、隣り合う育成容器１同士の流路空間部11を連通するための配管部材と、複数の育成容器１を育成容器連結体９として保持する連結保持部材とに、併用されている。育成容器１，１同士の端壁が接近乃至接触して、設置空間を無駄なく、苗の育成空間として使用可能にする。
また、雄接続継手３Ａと雌接続継手３Ｂの接続を解除（分離）させることで、育成容器１，１同士の連結は容易かつスムーズに解除される。つまり、育成容器１，１の連結する個数、即ち、苗の育成可能な場所（範囲）を増減可能とする。
【００３２】
そして、育成容器１の複数の分割収容空間２ａに、苗床材Ｇを入れて、苗を植える。温調機６によって冷水又は温水等の温調媒体が流路空間部11に供給され、苗床材Ｇと熱交換する。
例えば、苗が苺や小ネギである場合に、温調媒体で冷水することで、収穫を、自然栽培での本来の収穫時期（旬）である春ではなく、夏に行うことを可能にする。また、旬が夏であるピーマン、トマト、キュウリであれば、温調媒体を温水とし、暖めることで、冬に収穫を可能にする。このように、収穫したい時期に、果物や野菜の実、或いは、園芸用の花が蕾乃至開花状態に成長するように、温調媒体で冷却又は暖めることで、苗の育成を制御し周年（通年）栽培を可能にする。
【００３３】
また、流路空間部11が形成されている長手壁部10には、長手方向Ｌに沿って広範囲に苗床材Ｇに面状接触するため、効率よく、苗床材Ｇ及び苗と、温調媒体と、が熱交換する。
例えば、図14（ａ）に示すように育成容器１の第１例を用いた場合を実施例とし、図14（ｂ）に示したように流路空間部11を有さない収容容器Ｊに、横断面蒲鉾型のチューブＰ１を苗床材Ｇに埋設したものを第１比較例とし、図14（ｃ）に示したように横断面円形のチューブＰ２を苗床材Ｇに埋設したものを第２比較例とすると、熱交換すべき苗床材Ｇと接触する面積は、断面視で苗床材Ｇに接する線（接触線）の寸法と、長手方向Ｌの長さ寸法の積である。長手方向Ｌの長さ寸法を、実施例及び第１・第２比較例を同じ値に設定すると、熱交換に有効な面積は、接触線の長さに比例すると言える。
【００３４】
実施例の接触線の寸法は、左右一対の側壁部10Ａ，10Ｂの上下方向長さ寸法Ｈの２倍であり、具体的には、１８２ｍｍである。第１比較例の接触線の寸法は、円弧線分寸法Ｒと弦線分寸法Ｔの和であり、７０ｍｍである。また、第２比較例は、円周長寸法であり、直径寸法Ｄが10ｍｍの場合約３１ｍｍである。従って、実施例は、第１比較例の２．６倍、第２比較例の約６倍の熱交換有効面積を得ている。十分に効率良く温調効果が得られると言える。
言い換えると、第１比較例が実施例と同様の熱交換有効面積を得るためには、２．６本
以上、つまり、３本は埋設する必要があり、第２比較例では、６本埋設する必要がある。根が発育する障害になると共に、施工が困難である。さらに、複数の収容容器Ｊを直列状に並べる際は、チューブＰ１，Ｐ２を、一度出し、再び、別の収容容器Ｊに埋設するため、熱効率及び美観が損なわれる。また、実施例は、埋設されるチューブＰ１，Ｐ２に比べ、温度に敏感な茎の根元（クラウン）に対しても効率良く熱を作用（伝達）でき、苗の育成をより確実かつ容易に制御可能としている。熱交換効率が良いので温調機６の設定（制御）が反映されやすく、より細かな温調制御（育成の制御）が可能となる。
【００３５】
なお、本発明は設計変更可能であって、育成容器１の長手壁部10及び幅方向壁部20の材質は、金属、樹脂、陶器等自由である。また、分割壁部20Ｃを省略しても良い。また、底流路空間部11Ｃによって、左右一対の側方流路空間部11Ａ，11Ｂを連通させずに、各流路空間部11を独立させても良い。
【００３６】
また、苗床材Ｇは、土や砂、肥料、ロックウール等、植物の苗が根を張るのに適しているものであれば良い。また、分割収容空間２ａにコップ状のポットに植えられた苗を配置しても良い。また、温調媒体を送流するポンプは温調機６と別体として設けても良い。
【００３７】
以上のように、実施形態の植物の周年栽培（季節外れの植物）育成装置は、植物の苗が植えられる平面視細長状の育成容器１を備え、育成容器１の長手方向Ｌに温調媒体を流す流路空間部11を、長手壁部10に形成し、長手壁部10の長手方向一端側に温調媒体用の流入口12を設けると共に、長手方向他端側に温調媒体用の排出口13を設けたので、苗床材Ｇと温調媒体が効率よく熱交換でき、エネルギーの消費を軽減できる。育成容器１内の苗床材Ｇに集中的に効率良く熱交換でき、エネルギーの消費を軽減できる。また、十分な温調効果が得られ、周年で（旬をずらして季節外れに）植物を確実に育成できる。埋設や敷設する配管が必要なく、容易かつ迅速に栽培範囲の増減や移設に対応できる。ビニールハウス等のように室内全体の冷暖房管理を行う必要がなく、少ないエネルギーで確実な温調効果（環境温度の制御によって育成の成長を制御する効果）を得ることができる。特に、植物工場（野菜や果物育成工場）のような屋内での使用に好適である。
【００３８】
また、流入口12及び排出口13の一方に継手ユニット３の雄接続継手３Ａを設け、他方に雌接続継手３Ｂを設け、複数の育成容器１，１を、順次、長手方向Ｌに直列状に連結自在としたので、複数の育成容器１，１が細長状に連結した育成容器連結体９を容易に得ることができ、広範囲の植物を一括制御（管理）できる。育成容器１同士を連結する他部材が必要なく直接的に連結できる。育成容器１同士の連結・分離を容易に行え、迅速に栽培範囲の増減や移設ができる。つまり、連結する個数を継ぎ足し自在とすると共に育成容器連結体９を所望の長さに調節できる。
【００３９】
また、植物の苗が植えられる平面視長方形状の育成容器１を備え、育成容器１の長手方向Ｌに温調媒体を流す流路空間部11，11を、左右一対の側壁部10Ａ，10Ｂの夫々に形成し、一方の側壁部10Ａは、育成容器１の長手方向一端側に、一方の側壁部10Ａに形成された一方の流路空間部11に連通する継手ユニット３の雄接続継手３Ａが突設され、育成容器１の長手方向他端側に、一方の流路空間部11に連通する雌接続継手３Ｂが突設され、他方の側壁部10Ｂは、育成容器１の長手方向一端側に、他方の側壁部10Ｂに形成された他方の流路空間部11に連通する雌接続継手３Ｂが突設され、育成容器１の長手方向他端側に、他方の流路空間部11に連通する雄接続継手３Ａが突設され、複数の育成容器１，１を、順次、長手方向Ｌに直列状に連結自在としたので、苗床材Ｇと温調媒体が効率よく熱交換でき、エネルギーの消費を軽減できる。育成容器１内の苗床材Ｇに集中的に効率良く熱交換でき、エネルギーの消費を軽減できる。また、十分な温調効果が得られ、周年で（旬をずらして季節外れに）植物を確実に育成できる。埋設や敷設する配管が必要なく、容易かつ迅速に栽培範囲の増減や移設に対応できる。ビニールハウス等のように室内全体の冷暖房管理を行う必要がなく、少ないエネルギーで確実な温調効果を得ることができる。特に、植物工場（野菜や果物育成工場）のような屋内での使用に好適である。また、複数の育成容器１，１が細長状に連結した育成容器連結体９を容易に得ることができ、広範囲の植物を一括制御（管理）できる。育成容器１同士を連結する他部材が必要なく、容易かつスムーズに直接的に連結できる。育成容器１同士の連結・分離を容易に行え、迅速に栽培範囲の増減や移設ができる。つまり、連結する個数を継ぎ足し自在とすると共に育成容器連結体９を所望の長さに調節できる。さらに、育成容器１が平面視で中心点Ｐに対して回転対称形状となって、別の育成容器１’と接続する際に、継手ユニット３の雌雄を対応させるように向きを検討する必要がなく、連結作業の時間が削減でき作業効率を向上できる。
【符号の説明】
【００４０】
１  育成容器
３  継手ユニット
３Ａ  雄接続継手
３Ｂ  雌接続継手
４ 屈曲部
10  長手壁部
10Ａ，10Ｂ  左右一対の側壁部
11  流路空間部
12  流入口
13  排出口
31 先端面
32 先端面
Ｌ  育成容器の長手方向
Ｐ 中心点
【図１】
0005610754.tif 000002
【図２】
0005610754.tif 000003
【図３】
0005610754.tif 000004
【図４】
0005610754.tif 000005
【図５】
0005610754.tif 000006
【図６】
0005610754.tif 000007
【図７】
0005610754.tif 000008
【図８】
0005610754.tif 000009
【図９】
0005610754.tif 000010
【図１０】
0005610754.tif 000011
【図１１】
0005610754.tif 000012
【図１２】
0005610754.tif 000013
【図１３】
0005610754.tif 000014
【図１４】
0005610754.tif 000015